(57)【要約】本発明は、優れた機械的および熱的特性を有する光学的に半透明なポリアミド樹脂組成物、それらの調製方法、成形部品、シート製品などの生産のためのそれらの使用、ならびにそれから生産される様々な物品に関する。組成物は（ａ）少なくとも１種の半結晶質ポリアミドを含む少なくとも２種のポリアミドの混和性ブレンドと、（ｂ）ガラス充填材と、（ｃ）＋１、＋２、または＋３の酸化状態のリンを含有する触媒とを含む。【特許請求の範囲】
【請求項１】
ａ）少なくとも２種のポリアミドの混和性ブレンドであって、かつ、前記ポリアミドの少なくとも１種が半結晶質ポリアミドであるブレンド５９から９６．９９重量パーセントと、
ｂ）ガラス充填材３から４０重量パーセントと、
ｃ）＋１、＋２、または＋３の酸化状態のリンを含有する触媒０．０１から１重量パーセントと、
を含むことを特徴とする光学的に半透明なポリアミド組成物。
【請求項２】
６９．５から９５．９重量パーセントの前記ブレンド（ａ）と、４から３０重量パーセントの前記ガラス充填材（ｂ）と、０．１から０．５重量パーセントの前記触媒（ｃ）とを含むことを特徴とする請求項１に記載の組成物。
【請求項３】
７４．６から９５．３重量パーセントの前記ブレンド（ａ）と、４．５から２５重量パーセントの前記ガラス充填材（ｂ）と、０．２から０．４重量パーセントの前記触媒（ｃ）とを含むことを特徴とする請求項２に記載の組成物。
【請求項４】
前記ブレンド（ａ）中の前記少なくとも１種の半結晶質ポリアミドが合成半結晶質ブロック／ランダムコポリアミドから選択されることを特徴とする請求項１に記載の組成物。
【請求項５】
前記ガラス充填材（ｂ）がＥガラスであることを特徴とする請求項１に記載の組成物。
【請求項６】
前記ガラス充填材（ｂ）が繊維状であり、かつ、ガラスロービング、ガラス細断ストランド、およびガラス糸からなる群から選択されることを特徴とする請求項１に記載の組成物。
【請求項７】
前記触媒（ｃ）が次亜リン酸ナトリウム、次亜リン酸カリウム、および次亜リン酸マンガンからなる群から選択されることを特徴とする請求項１に記載の組成物。
【請求項８】
ａ）少なくとも２種のポリアミドの混和性ブレンドであって、前記ポリアミドの少なくとも１種が半結晶質ポリアミドであるブレンド８０から９７重量パーセントを提供する工程と、
ｂ）それに、ガラス充填材３から４０重量パーセントと、＋１、＋２、または＋３の酸化状態のリンを含有する触媒０．０１から１重量パーセントとを添加してブレンド混合物を形成する工程と、
ｃ）前記ブレンド混合物を溶融ブレンドして均質な組成物を形成する工程と、を含むことを特徴とする光学的に半透明なポリアミド組成物の調製方法。
【請求項９】
射出成形、ブロー成形、押出成形、共押出成形、圧縮成形または真空成形のうちのいずれかによって前記均質なブレンドを成形する工程をさらに含むことを特徴とする請求項８に記載の方法。
【請求項１０】
請求項８の方法による成形物品。
【請求項１１】
ボトル、シート、フィルム、包装材料、パイプ、ロッド、ラミネート、大形袋、バッグ、型製品、顆粒、または粉体からなる群から選択される請求項１０に記載の成形物品。
【発明の詳細な説明】
【０００１】
本出願は、２０００年１０月１０日に出願された仮出願第６０／２３８，９７３号の優先権の利益を主張するものである。
【０００２】
（発明の分野）
本発明はポリアミドブレンドに関する。より具体的には、本発明は、半透明であり、また優れた機械的および熱的特性を保持しているポリアミド樹脂に関する。
【０００３】
（発明の背景）
多数の無充填非晶質材料に特有の特性が、透明性であることは知られている。これに反して、結晶質および半結晶質材料は、これらの材料中の結晶質ドメインが入射光を散乱するという事実により、多くの場合不透明である。
【０００４】
ナイロンとしても広く知られているポリアミドは、靱性、耐熱性、耐油性、および加工性に優れていることが知られている。かかるポリアミドの例には、ナイロン６、ナイロン６，６、ナイロン６，１０、ナイロン１２などと一般に表されるもののような脂肪族ポリアミドが含まれる。これらのポリアミドは一般に半結晶質である。かかる半結晶質ポリアミドは、上述の優れた特性のために、エンジニアリングプラスチック、繊維など用に広く使用されている。エンジニアリングプラスチックとして、それらは、電気および電子部品ならびに自動車用付属品のような、様々な用途で広く使用されている。しかしながら、多くの用途にとっての上のポリアミドの欠点は、球粒結晶がポリアミド中に存在することにより、それらが多くの場合不透明であることである。球粒結晶は、可視光に干渉してそれを散乱するのに十分なほど大きい。
【０００５】
それから生産された物品の引張強さと曲げ強さとを増大させるために、ポリアミド配合物中に強化充填材を使用することが一般的である。米国特許第５，０５３，４４７号は、ａ）配合物の全重量を基準にして少なくとも５０重量パーセントの、ナイロン６，６、ナイロン６、またはそれらの混合物から選択された非強化ナイロンと、ｂ）約５−５０重量パーセントの充填材と、ｃ）ナイロン単独のメルトインデックス値よりも高いメルトインデックス値を提供するのに十分な量のデカブロモジフェニルエタンと、を有するポリアミド系熱可塑性配合物を開示している。使用された充填材はガラス繊維である。
【０００６】
充填材として使用されるガラス繊維は、プラスチック中での光の通過をゆがめるかまたはそれに干渉することが知られている。米国特許第５，１４９，８９７号および同第４，１３３，２８７号は、ガラス繊維が強化材または増強剤としてナイロンに添加された場合に、それらが材料の光学的特性に干渉しうるという問題を開示している。
【０００７】
ある種の無充填非晶質コポリアミドは成形されて透明な物品を生産できることが知られている。米国特許第４，４０４，３１７号は、非晶質コポリアミドが主要な構成成分である、少なくとも１種の非晶質コポリアミドと少なくとも１種の半結晶質ポリアミドとのブレンドを記載している。本発明は、得られた材料の半透明性と物理的特性の両方を強化するのに役立つ触媒およびガラス充填材の存在下に、半結晶質材料を非晶質構成成分とブレンドするかまたはブレンドしないことにより半透明な材料を製造できる方法を記載することによって、この研究を発展させるものである。
【０００８】
米国特許第６，０２２，６１３号は、バランスのとれたアミノ末端基と酸末端基とを有する選択されたポリアミドホモポリマーまたはコポリマーと、過度の末端アミノ基を有するさらに選択されたポリアミドホモポリマーまたはコポリマーとのブレンドを含有する、高度の透明性を有する組成物を記載している。しかしながら、これらの要件は、ブレンドを調製するのに使用することができるポリアミドの範囲に関して重大な制限を与える。
【０００９】
半透明であり、かつ、非晶質でないポリアミドの特性として当技術分野で公知である強度、靱性、耐熱性、耐薬品性などを有する新規なポリアミド組成物が必要である。
【００１０】
（発明の概要）
ａ）少なくとも２種のポリアミドの混和性ブレンドであって、これらのポリアミドの少なくとも１種が半結晶質ポリアミドであるブレンド５９から９６．９９重量パーセントと、
ｂ）ガラス充填材３から４０重量パーセントと、
ｃ）＋１、＋２、または＋３の酸化状態のリンを含有する触媒０．０１から１重量パーセントとを含む、光学的に半透明なポリアミド組成物が本明細書において開示される。
【００１１】
本発明の別の態様は、先ず上述の混和性ブレンドを提供する工程と、これに上述のガラス充填材と触媒とを添加してブレンド混合物を形成する工程とを含む、かかる組成物の改善された調製方法である。ブレンド混合物は溶融ブレンドされて均質なブレンドを形成する。ブレンドを成形するためのさらなる加工には、当業者によって理解されるような様々な技術のいずれもが含まれてもよい。これらには、射出成形、ブロー成形、押出成形、共押出成形、圧縮成形、または真空成形が含まれるが、これらに限定されるものではない。
【００１２】
本発明の成形物品には、再び前述の事項の一般性を限定する意図なしに、ボトル、シート、フィルム、包装材料、パイプ、ロッド、ラミネート、大形袋、バッグ、型製品、顆粒、または粉体が含まれてもよい。
【００１３】
（発明の詳細な説明）
半結晶質ポリアミドにガラス繊維を添加すると、材料の剛性が改善されることは公知である。しかしながら、この改善は、低下した光学的特性だけでなく、耐衝撃性の激しい低下を伴う。用語「光学的特性」は、問題の材料が可視光を透過する能力を意味する。背後に置かれているアイテムが完全に見えるように、材料が重大な散乱をすることなく可視光を透過するであろう場合に、材料は「透明」であることができる。可視光がブロックされて、それらの材料から製造された物体を通して見ることができない場合に、材料はまた「不透明」であることができる。背後に置かれているアイテムを見ることができるが、おそらく完全に明確には見ることができないまたは離れると見ることができないように、幾らかの可視光を透過する材料が中間にある。かかる材料は「半透明の」と言われる。半透明であるが、完全には透明でない材料には多数の可能な用途がある。例えば、材料を通して見られるアイテムは該材料から短い距離にある場合だけであることが必要であるかもしれないし、または該材料近くのアイテムだけが見えることが望ましいかもしれない。材料が提供できる半透明性の程度は、多くの場合、その材料から製造された物体の厚さの関数であろう。
【００１４】
本明細書に記載される組成物は、優れた物理的特性と加工性とを有するのみならず、半透明である樹脂組成物である。該組成物は、３種の構成成分、すなわち、（Ａ）その少なくとも１種が結晶質または半結晶質である、少なくとも２種のポリアミドの溶融混和性／相溶性ブレンドと、（Ｂ）伝熱を改善することができるであろうガラス繊維、ガラスビーズまたは他の充填材と、（Ｃ）触媒とを有する。
【００１５】
合成半結晶質ブロック／ランダムコポリアミドを含むポリアミドの混和性ブレンド（Ａ）
第１の構成成分（Ａ）は、その少なくとも１種が半結晶質ポリアミドである、少なくとも２種の混和性熱可塑性ポリアミドのブレンドである。これらの樹脂は、半結晶質ホモポリマーと、ブロックおよびランダムコポリアミドとを含むことができる。熱可塑性半結晶質ポリアミドは、測定可能な融解熱を持った明確な融点を有するが、一方非晶質ポリアミドは一般に、明確な融点も測定可能な融解熱も持たない。普通、ナイロン６，６のようなポリアミドホモポリマーは、半結晶質ポリマーである。
【００１６】
半結晶質ポリアミドは当技術分野で公知であり、広く入手可能である。それらは、Ｔｈｅ　Ｅｎｃｙｃｌｏｐｅｄｉａ　ｏｆ　Ｐｏｌｙｍｅｒ　Ｓｃｉｅｎｃｅ　ａｎｄ　Ｅｎｇｉｎｅｅｒｉｎｇ，第２版，１９８５，Ｗｉｌｅｙ，Ｖｏｌ．１１，ページ３１８−３６０で議論されているように、付加重合だけでなく縮合重合によって形成されてもよい。ポリアミドは一般に、１０，０００を超える分子量を有し、等モル量の、４−１２の炭素原子を含有する飽和脂肪族ジカルボン酸と、２−１２の炭素原子を含有する脂肪族ジアミンとの縮合によって生産することができ、所望ならば、ポリアミドにおいてカルボン酸末端基よりも過剰のアミン末端基を提供するためのジアミンを使用することができる。あるいはまた、過剰の酸末端基を提供するための二酸を使用することができる。同等にうまく、これらのポリアミドは、エステル、酸塩化物、アミン塩などのような、前記の酸およびアミンの酸形成およびアミン形成誘導体から製造されてもよい。ポリアミドを製造するのに使用される代表的な脂肪族ジカルボン酸には、アジピン酸、ピメリン酸、アゼライン酸、スベリン酸、セバシン酸、およびドデカン二酸が含まれ、一方、代表的な脂肪族ジアミンには、ヘキサメチレンジアミンおよびオクタメチレンジアミンが含まれる。さらに、これらのポリアミドはまた、ラクタムの自己縮合から調製することもできる。
【００１７】
例示すると、構成成分（Ａ）を構成する混和性ブレンドでの使用に好適なポリアミドには、ポリカプロラクタム（ナイロン６）、ポリノナノラクタム（ナイロン９）、ポリウンデカノラクタム（ナイロン１１）、ポリドデカノラクタム（ナイロン１２）、ポリ（テトラメチレンジアミン−コ−アジピン酸）（ナイロン４，６）、ポリヘキサメチレンアゼライックアミド（ナイロン６，９）、ポリヘキサメチレンセバカミド（ナイロン６，１０）、ポリヘキサメチレンイソフタルアミド（ナイロン６，ＩＰ）、ポリメタキシリレンアジパミド（ナイロンＭＸＤ６）、ｎ−ドデカン二酸とヘキサメチレンジアミンとのポリアミド（ナイロン６，１２）、ドデカメチレンジアミンとｎ−ドデカン二酸とのポリアミド（ナイロン１２，１２）、ならびにそれらのコポリマーが含まれる。代表的なコポリマーは、ヘキサメチレンアジパミドとカプロラクタムとのポリアミド（ナイロン６，６／６）、ヘキサメチレンアジパミドとヘキサメチレン−イソフタルアミドとのポリアミド（ナイロン６，６／６ＩＰ）、ヘキサメチレンアジパミドとヘキサメチレン−テレフタルアミドとのポリアミド（ナイロン６，６／６Ｔ）、ヘキサメチレンテレフタルアミドと（２−メチル）ペンタメチレンテレフタルアミドとのポリアミド（ナイロン６Ｔ／ＤＴ）、ヘキサメチレンアジパミドと、ヘキサメチレンアゼライックアミドと、カプロラクタムとのポリアミド（ナイロン６，６／６，９／６）、ヘキサメチレンテレフタルアミドとヘキサメチレンデカンジアミドとのポリアミド（ナイロン６Ｔ／６，１０）、およびヘキサメチレンテレフタルアミドとヘキサメチレンドデカンジアミドとのポリアミド（ナイロン６Ｔ／６，１２）、ならびに本明細書では具体的に記述されない他のものである。
【００１８】
好適なポリアミドコポリマーはまた、当業者によって理解されるであろうように、縮合重合および開環重合によって合成することができるであろう。コポリマーは、多数のコポリマーが明確な融点を有するので、必ずしも非晶質な材料ではないであろう。本明細書におけるコポリマーの定義は、２種類よりも多いモノマーペアブロック（例えば、テレフタル酸、イソフタル酸、ヘキサメチレンジアミン、１，１２−ジアミノドデカン、カプロラクタム）によって合成されたポリマーである。ポリマーブレンド中に多モノマーコポリマーを添加すると、球粒のサイズを効果的に低下させることができ、かつ、結晶化度を顕著に低下させることさえもできるであろう。
【００１９】
好適な非晶質ポリアミドは、当業者によって理解されるように、イソフタル酸、テレフタル酸、ヘキサメチレンジアミン、ビス（ｐ−アミノシクロヘキシル）メタン、１，４−ビス（アミノメチル）シクロヘキサン、または１−アミノ−３−アミノメチル−３，５，５−トリメチルシクロヘキサンのような成分から製造されたコポリマーを含むことができるが、これらには限定されない、コポリマーであろう。
【００２０】
ブレンドが少なくとも２種の、しかし好ましくはより多数種の、混和性および相溶性ナイロンからなり、したがって半結晶質ポリマー構成成分の結晶質領域における球粒サイズの低下を促進することが重大である。非晶質ポリアミドを添加することもまた、球粒サイズの低下を促進することができるであろう。最適サイズ化され、分散された相と適切な界面相接着とで、相溶性ポリアミドは、有用な機械的特性につながるブレンドモルフォロジを提供する。
【００２１】
本明細書で議論されるように、混和性ブレンドとは、その少なくとも１種が半結晶質である、本発明の２種以上の溶融した相溶性ポリアミドのブレンドが、単一の均質なポリアミドとして挙動し、単一のＴｇを示し、かつ、その組成物での加工中または加工後のポリマー構成成分の層別が一般に回避される単一相組成物を与えることを意味する。非混和性ブレンドは相分離するので、それらは、相間の弱い結合のために、相境界で剥離を受ける。これは光散乱をもたらし、光散乱は成形物品の光学的特性に悪影響を及ぼす。
【００２２】
この混和性は半透明性にとって重大であるので、ブレンドに使用されるナイロンの選択は、それらの相互相溶性によって決まるであろう。２種以上のポリアミドの混和性を判断する１つの方法は、溶融混合物の外観を調べることによるものであり、それは、相溶性材料については透明であり、非相溶性材料については曇っているべきである。例えば、ナイロン６とナイロン６，６とは完全に混和性であり、透明な溶融物を形成する。これに反して、ナイロン６，６とナイロン１２とは混和性ではなく、曇った溶融物を形成する。曇った溶融物とは、その材料が、溶融物の背後の物体がある距離で完全にかつ明確には見えないポイントまで光を散乱する不均質な領域を含有するものである。
【００２３】
以下は、潜在的なポリマーブレンドの幾つかの例である。括弧内には、溶融混合物の外観である。
（１）ナイロン６とナイロン６，６（透明な溶融物）
（２）ナイロン６，１０とナイロン６，１２（透明な溶融物）
（３）ナイロン６，１２とナイロン６（曇った溶融物）
（４）ナイロン６とナイロン６，６とナイロン１２（曇った溶融物）
【００２４】
溶融ポリマーブレンドが透明でない場合、その時はそのブレンドは、半透明なナイロン材料の良好な候補ではない。
【００２５】
構成成分（Ａ）を構成する好適なブレンドには、（ｉ）ナイロン６，６と（ｉｉ）ナイロン６とのブレンド、（ｉ）ナイロン６，６と（ｉｉ）ナイロン６と、（ｉｉｉ）非晶質ナイロンとのブレンド、ならびに（ｉ）ナイロン６，６と（ｉｉ）ナイロン６と、（ｉｉｉ）ナイロン６Ｔ／ＤＴとのブレンドが含まれる。
【００２６】
ブレンド（Ａ）は好ましくは６９．５から９５．９重量パーセントの量で存在し、最も好ましい範囲は７４．６から９５．３重量パーセントである。
【００２７】
ガラス充填材（Ｂ）
ガラス充填材は、ガラス繊維またはガラスビーズの形態で使用される場合、酸化物、例えば。ＳｉＯ２、Ｂ２Ｏ３、Ａｌ２Ｏ３、ＣａＯ、Ｎａ２Ｏ、およびＫ２Ｏからなる無機ガラスから得られる。これらの充填材および他の充填材の好ましい量は、４から３０重量パーセントの範囲であり、最も好ましい範囲は４．５から２５重量パーセントの範囲である。
【００２８】
ガラス系充填材は、最終材料の物理的特性を改善するためだけではなく、結晶形成期間中の材料内からの伝熱を改善するためにも使用された。結晶化は熱力学的プロセスであるので、急速冷却は、結晶化の速度と得られた結晶質ドメインのサイズとを両方とも低下させる傾向があるだろう。材料内からの伝熱の速度を加速するものはいずれも、結晶化度も低下させると予想されるであろう。
【００２９】
アルカリのないガラスおよびアルカリを含有するガラス（例えば、Ｅガラス、ＣガラスおよびＡガラス）が、本発明において有用であり、Ｅガラスは、エンジニアリング樹脂を強化するために最も一般に使用されているので、特に好ましい。好ましいガラス繊維は、ガラスロービング、ガラス細断ストランド、および直径３−２０ミクロンメートルの連続ガラスフィラメントから製造された、Ｐｉｔｔｓｂｕｒｇｈ　Ｐｌａｔｅ　Ｇｌａｓｓ　ＣｏｍｐａｎｙからＰＰＧ　３５３１、ＰＰＧ　３６６０およびＰＰＧ　３５４０として商業的に入手可能なガラス糸の形態のものである。
【００３０】
Ｅ−ガラス繊維の屈折率は、白色光と屈折率整合流体（Ｃｏｍｐｏｓｉｔｅｓ，Ｐａｒｔ　Ａ（１９９８），Ｖｏｌｕｍｅ　Ｄａｔｅ　１９９９，３０Ａ（２），１３９−１４５）とによって測定されるように１．５５４である。ブレンドを半透明に保持するために、ガラス屈折率は、ポリマーマトリックスのそれにかなりぴったりと整合しなければならない。
【００３１】
ナイロン６およびナイロン６，６の屈折率は１．５３である（参考文献　Ｖ−８，Ｐｏｌｙｍｅｒ　Ｈａｎｄｂｏｏｋ，第２版，Ｂｒａｎｄｒｕｐ，Ｗｉｌｅｙ　Ｉｎｔｅｒｓｃｉｅｎｃｅ　Ｐｕｂｌｉｃａｔｉｏｎ）。
【００３２】
触媒（Ｃ）
第３の構成成分（Ｃ）は、異なる半結晶質ナイロン間のアミド交換を促進するリン触媒である。
【００３３】
リン化合物の有用な触媒酸化状態は、＋１、＋２、および＋３である。（Ｐｈｏｓｐｈｏｒｕｓ：ａｎ　Ｏｕｔｌｉｎｅ　ｏｆ　ｉｔｓ　Ｃｈｅｍｉｓｔｒｙ，Ｂｉｏｃｈｅｍｉｓｔｒｙ，ａｎｄ　Ｔｅｃｈｎｏｌｏｇｙ（リン：その化学、生化学、および技術の概要），第５版，Ｄ．Ｅ．Ｃ．Ｃｏｒｂｒｉｄｇｅ，Ｅｌｓｅｖｉｅｒ，１９９５　ｐ．２５を参照のこと。）。例えば、亜リン酸および次亜リン酸の第Ｉ族、第ＩＩ族、亜鉛、マンガン、およびアルミニウム塩を使用することができる。亜リン酸エステルおよび次亜リン酸エステルもまた含まれる。好ましい触媒は、次亜リン酸ナトリウム、次亜リン酸カリウム、および次亜リン酸マンガンである。
【００３４】
添加されるべき触媒の量は、ブレンド、ガラス繊維の量、および当業者には公知の他の要因に依存して変わるであろう。しかしながら、その量は、驚くほど少量で有効であり、好ましくは０．１から０．５重量パーセント、最も好ましくは０．２から０．４重量パーセントの範囲である。
【００３５】
顔料、染料、酸化防止剤、または耐候安定剤のような他の構成成分が、その光学的特性、加工性、および物理的特性に影響を及ぼさない限り、本発明のポリアミド樹脂組成物中に組み込まれてもよい。典型的にかかる従来の添加剤は、混合工程で組成物に添加され、組成物の押出物に含まれている。
【００３６】
調製
本発明のポリアミド配合物の構成成分を混合する方法は特に限定されず、任意の公知の方法を使用することができる。組成物を構成する成分のブレンディングまたはミキシングは、それらの均一な分散を達成するであろう任意の有効な手段によってもよい。成分のすべては、成分の均一なブレンドを確実にするために、ミキサー、ブレンダー、混練機、ロールミキサー、押出機などによって同時にまたは別々に混合されてもよい。代替方法では、ポリアミドブレンド構成成分を構成する成分は、ポリアミドブレンドの均一なブレンドを確実にするために、ミキサー、ブレンダー、混練機、ロールミキサー、押出機などによって先ずブレンドまたは混合されてもよく、得られたポリアミド混合物は押出機中でガラス繊維、触媒、および任意の添加剤と一緒に溶融混練されて均一なブレンドを製造する。
【００３７】
均一な組成物は次にストランドに押し出され、続いてペレットに細断される。続いてペレットは、物品を形成するために使用される成形装置のフィードホッパーに提供されてもよい。
【００３８】
新規ブレンドは成形用途とフィルム用途の両方に有用である。本発明の組成物から形成される成形物品は一般に、射出成形、押出成形、ブロー成形、トランスファー成形、または真空成形のような熱可塑性樹脂用の公知の成形方法によって形成される。
【００３９】
（実施例）
材料
以下に記載される実施例において使用される材料は、次のとおりである。
ナイロン６，６：ＤｕＰｏｎｔにより供給されたＺｙｔｅｌ（登録商標）１０１ナイロン６：ＢＡＳＦにより供給されたＵｌｔｒａｍｉｄ（登録商標）Ｂ３
非晶質ナイロン：ＤｕＰｏｎｔにより供給されたＺｙｔｅｌ（登録商標）３３０ＰＰＧ３５４０：Ｐｉｔｔｓｂｕｒｇｈ　Ｐｌａｔｅ　Ｇｌａｓｓ　Ｃｏｍｐａｎｙにより供給されたガラス繊維。
ＳＨＰ（次亜リン酸ナトリウム）：ＥＮグレードとしてＯｘｙＣｈｅｍにより供給された。
ジステアリン酸Ａｌ（ジステアリン酸アルミニウム）：Ｓｈｅｐｈｅｒｄ　Ｃｈｅｍｉｃａｌｓにより供給された。
イルガノックス（登録商標）１０９８：Ｃｉｂａにより供給された。
Ｅａｓｔｏｂｒｉｔｅ（登録商標）ＯＢ−１（４，４’−ビス（２−ベンゾオキサゾリル）スチルベン）：Ｅａｓｔｍａｎ　Ｃｈｅｍｉｃａｌ　Ｐｒｏｄｕｃｔｓ，Ｉｎｃ．により供給された。
Ｓ−ＥＥＤ（Ｎｙｌｏｓｔａｂ（登録商標）Ｓ−ＥＥＤ（登録商標））：Ｃｌａｒｉａｎｔにより供給された。
【００４０】
材料調製
完全に混合された、ポリマー、ガラス繊維、触媒、および添加剤のブレンドを調製するために、４０ｍｍ　Ｗｅｒｎｅｒ　＆　Ｐｆｌｅｉｄｅｒｅｒ二軸スクリュー押出機を使用した。使用した温度は典型的に２７０−３００℃であり、得られた溶融温度は典型的に２８０−３３０℃であった。主供給と副供給とを受け入れるために押出機とスクリューとをセットアップした。主供給口を通してポリマー、触媒、および添加物を押出機中に供給し、主供給口を通してガラス繊維またはビーズを供給し、副フィーダーを通してガラス繊維またはビーズを供給した。溶融ゾーンは、分子レベルで複合ポリアミドの完璧な相溶化を達成するために必要とされる均質混合を得るのに十分なほど厳密でなければならない。厳密でない溶融ゾーンは不十分な混合をもたらし、それは、冷却すると、得られた材料の半透明性を低下させるであろう望ましくないほど大きな結晶の形成をもたらすであろう。
【００４１】
ガラス充填材または他の充填材が押出機に導入される前に、所与の十分に混合された溶融ポリアミドブレンドを調べることによって、ブレンドを目視検査することにより、ブレンドが半透明混合物に好適かどうかを評価することが可能である。透明な溶融物は相溶性ブレンドを暗示し、曇った溶融物は非相溶性ブレンドを暗示する。次に、すべての成分を含有する溶融材料をストランドに押し出し、ペレットに細断した。
【００４２】
一般的な試験手順
材料を試験片に成形した。成形されたままで乾燥した（ｄｒｙ−ａｓ−ｍｏｌｄｅｄ）（ＤＡＭ）試料について次の試験を実施した。
破壊伸長（Ｅ＠Ｂ）および引張強さ（ＴＳ）測定値は、ＡＳＴＭ　Ｄ−６３８またはＩＳＯ　５２７に記載されたように測定した。
曲げ弾性率（ＦＭ）測定値は、ＡＳＴＭ　Ｄ−７９０またはＩＳＯ　１７８に記載されたように測定した。
ノッチ付きアイゾッド（ＮＩ）およびノッチなしアイゾッド（ＵＮＩ）衝撃試験は、ＡＳＴＭ　Ｄ−２５６、ＡＳＴＭ　Ｄ−４８１２、またはＩＳＯ　１８０に記載されたように実施した。
熱屈折温度（ＨＤＴ）は、ＡＳＴＭ　Ｄ−６４８に記載されたように測定した。
示差走査熱分析（ＤＳＣ）スキャンは、ＴＡ　Ｉｎｓｔｒｕｍｅｎｔ装置でとった。加熱および冷却の傾斜は１０℃／分であった。
黄色度指数（ＹＩ）測定値は、ＡＳＴＭ　Ｅ３１３に記載されたように測定した。
【００４３】
半透明性の特徴付け
比較すべき各グループからの材料を１．６ｍｍまたは４ｍｍ厚さの試験片に成形した。成形試験片を、今度は、同じ照明条件下に厚線または印刷語で標識を付けた紙シートのトップに置いた。その標識は試験片を通して容易に判読できた。次に、標識が試験片を通してもはや判読できなくなるまで、各試験片を紙から持ち上げた。標識がもはや判読できないポイントでの試験片トップと紙トップとの間のミリメートル単位での距離を、その材料の半透明性を特徴付けるのに使用した。これらの数は「部品半透明性」の見出しで下表に示し、そこには使用した試験片の厚さも示す。より高い程度の半透明性を持った試験片は、より小さい半透明な試験片よりもより長い距離が示されるであろう。
【００４４】
物理的特性に対する非混和性の影響
表１に示す比較例の目的は、２種の非相溶性の半結晶質ポリマーを溶融ブレンドした場合に、いかに物理的特性が悪化しうるかを例示することにある。ナイロン６，６それ自体は５５％破壊伸長を有する。ナイロン６，１２だけでは８０％破壊伸長を有する。しかしながら、２０％ナイロン６，１２を８０％ナイロン６，６と溶融ブレンドすると、混合物の破壊伸長は１９％に過ぎない。その溶融物はミルクのような外観を有し、それはナイロン６，６とナイロン６，１２とが完全には混和性ではなく、このシステムが透明なまたは半透明なブレンドへの包含に好適ではないであろうことを示す。
【００４５】
【表１】
2004511608.tif 000002
【００４６】
半結晶質ポリマーのブレンド
このグループの実施例で使用したブレンドは、２種の一般に使用される半結晶質ポリマー、ナイロン６，６とナイロン６とを溶融ブレンドすることによって製造した。それらは一緒に、全体的に澄明な、２種のポリマーが相溶性であることを示す、均質な溶融物を形成した。ＰＰＧ３５４０ガラス繊維、触媒および他の成分を、表２に示すように混合物に添加した。材料を調製した後、各ブレンドを、物理的試験実施用の試験片と半透明性試験実施用の１．６ｍｍ厚さの試験片とに成形した。結果を表２に示す。
【００４７】
驚くべき結果は、（１）ガラス繊維の添加は、材料が半透明であることを妨害しなかったこと、および（２）ガラス繊維の添加は、純ナイロン６またはナイロン６，６システムのいずれかにおけるよりも、ナイロン６／ナイロン６，６ブレンドにおいて一層得られた材料の半透明性を強めたことである。
【００４８】
ガラス繊維が半透明性に悪影響を及ぼさなかったことは、２つの要因の組合せの結果であった。第１は、ポリアミドとＰＰＧ３５４０ガラスとの間の屈折率の相違が全く小さいことである。第２は、ガラスの存在はおそらく成形部品での冷却時間を短縮したことであり、それは結晶化の速度を低下させる傾向があるだろう。
【００４９】
【表２】
2004511608.tif 000003
【００５０】
ＤＳＣ分析結果
これらの実施例ではＳＨＰであった触媒を使用する効果を特徴付けるために、ＤＳＣ分析を用いた。加熱および冷却の２つの連続したサイクルについて、融点および凝固点（それぞれ、ＭＰおよびＦＰと略記される）、ならびに相当する融解熱および結晶化熱を測定した。
【００５１】
融解熱および結晶化熱は、材料が有する結晶化度を反映するものである。ブレンドの場合、融点、凝固点、および関連した熱が第１および第２の加熱および冷却サイクルの間で変化したならば、それは、様々な構成成分の間で化学反応が起こったことの良い指標である。
【００５２】
これは、表３に示す実施例によって例示される。ナイロン６，６のような単一ポリマーの場合には、第１および第２の加熱および冷却サイクル間で、融点、凝固点、および関連した熱に顕著な変化はない。しかしながら、多ポリアミド系においては、２つの加熱および冷却サイクル間で、融点、凝固点、および関連した熱の顕著な低下が観察される。これは、ナイロン６構成成分とナイロン６，６構成成分との間のアミド交換反応が起こって、結晶化度を減少させたことの良い指標である。その結果は、良好な物理的特性を維持するのに十分な結晶化度が保持されているが、十分に改善された光学的特性を見込むのに十分なほど結晶質ドメインが減少した系である。
【００５３】
【表３】
2004511608.tif 000004
【００５４】
非晶質ポリアミドとブレンドされた半結晶質ポリアミド
これらの実施例では、２種の半結晶質ポリアミド、ナイロン６とナイロン６，６とを、ガラス繊維、触媒、添加剤、および非晶質ポリアミドとブレンドした。
【００５５】
屈折率１．５８８を有する非晶質ポリアミドを縮合重合によって合成した。使用したジアミンはビス（ｐ−アミノシクロヘキシル）メタンおよびヘキサメチレンジアミンである。使用した二酸はイソフタル酸およびテレフタル酸である。非晶質ポリアミドは、すべての濃度でナイロン６およびナイロン６，６と完全に混和性であり、三元混合物は透明な溶融物を形成する。
【００５６】
ブレンドを４ｍｍ厚さの試験片に成形し、上述の半透明性試験を適用した。６個の異なる組成物についての半透明性および物理的試験実施結果を表４に示す。非晶質樹脂の存在は、得られた材料の光学的特性を改善したが、半結晶質構成成分およびガラス繊維の存在は、材料に良好な物理的特性を与えた。
【００５７】
【表４】
2004511608.tif 000005
【国際公開パンフレット】
2004511608.tif 000006
2004511608.tif 000007
2004511608.tif 000008
2004511608.tif 000009
2004511608.tif 000010
2004511608.tif 000011
2004511608.tif 000012
2004511608.tif 000013
2004511608.tif 000014
2004511608.tif 000015
2004511608.tif 000016
2004511608.tif 000017
2004511608.tif 000018
2004511608.tif 000019
2004511608.tif 000020
2004511608.tif 000021
2004511608.tif 000022
2004511608.tif 000023
2004511608.tif 000024
【国際公開パンフレット（コレクトバージョン）】
2004511608.tif 000025
【国際調査報告】
2004511608.tif 000026
2004511608.tif 000027